(57)【要約】【課題】外観性を維持しながら、シェード部材を使用位置に容易に設置可能なサンシェード装置を提供する。【解決手段】ドア本体１０と、ドア本体１０の車両上方に設けられ、ドア本体１０と共にウィンドウ開口部を形成するドアフレーム１１と、を有する車両用ドア２に設置されるサンシェード装置１は、ドア本体１０に設けられ、車両上方に引き出し可能なシェード部材１６と、シェード部材１６の上端に沿って設けられ、車両前後方向に延びる支持部材１７であって、車両前方に突出する前端部１７ａと車両後方に突出する後端部１７ｂとを有する支持部材１７と、シェード部材１６が引き出された際に支持部材１７の前端部１７ａおよび後端部１７ｂにそれぞれ対向する位置でドアフレーム１１に取り付けられ、前端部１７ａおよび後端部１７ｂとそれぞれ係合して、シェード部材１６をウィンドウ開口部３を覆う位置に保持する一対の係合部２０，３０と、を有している。【選択図】図１
2012148597.tif 000002
【特許請求の範囲】
【請求項１】
ドア本体と、該ドア本体の車両上方に設けられ、該ドア本体と共にウィンドウ開口部を形成するドアフレームと、を有する車両用ドアに設置されるサンシェード装置であって、
前記ドア本体に設けられ、車両上方に引き出し可能なスクリーン状のシェード部材と、
前記シェード部材の上端に沿って設けられ、車両前後方向に延びる支持部材であって、前記上端の車両前方側端部から車両前方に突出する前端部と、前記上端の車両後方側端部から車両後方に突出する後端部と、を有する支持部材と、
前記シェード部材が引き出された際に前記支持部材の前記前端部および後端部にそれぞれ対向する位置で前記ドアフレームに取り付けられ、前記前端部および後端部とそれぞれ係合して、前記シェード部材を前記ウィンドウ開口部を覆う位置に保持する一対の係合部と、を有するサンシェード装置。
【請求項２】
前記各係合部には、前記支持部材の前記前端部または後端部を収容する収容空間が設けられている、請求項１に記載のサンシェード装置。
【請求項３】
前記収容空間は、前記支持部材の前記前端部または後端部を車内側および車両上方側から該収容空間に挿入するように、車内側および車両上方側に開口する、請求項２に記載のサンシェード装置。
【請求項４】
前記支持部材の前記前端部および後端部は、車両前後方向に延びる円柱状に形成され、前記収容空間は、前記支持部材の前記前端部または後端部を回転可能に収容するように、車両前後方向に垂直な断面が円弧状に形成されている、請求項２または３に記載のサンシェード装置。
【請求項５】
前記ドアフレームが、車両前後方向に延びる横枠部と、前記ドア本体から車両上方に延び、前記横枠部の車両前方側端部に接続する縦枠部と、前記ドア本体から車両上方かつ車両前方に延び、前記横枠部の車両後方側端部に接続する傾斜枠部と、を有し、
前記一対の係合部が、前記横枠部の前記車両前方側端部および車両後方側端部で、前記ドアフレームの内周側にそれぞれ取り付けられている、請求項１から４のいずれか１項に記載のサンシェード装置。
【請求項６】
前記一対の係合部が、前記ウィンドウ開口部の開口縁に沿って前記ドアフレームの内周に取り付けられた内周部材に一体的に形成されている、請求項１から５のいずれか１項に記載のサンシェード装置。
【請求項７】
前記シェード部材が、前記ドア本体内部に収納された状態から車両上方に引き出し可能である、請求項１から６のいずれか１項に記載のサンシェード装置。
【発明の詳細な説明】
【技術分野】
【０００１】
本発明は、車両用ドアに設置されるサンシェード装置に関する。
【背景技術】
【０００２】
従来から、車両用ドアには、直射日光を遮ったり、車内のプライバシーを確保したりする目的で、ウインドウ用のサンシェード装置が広く使用されている。
【０００３】
ウィンドウ用サンシェード装置は、多くの場合、未使用時にはドア本体内部に収納されシェード部材を、使用時にウィンドウガラスに沿って車両上方に引き出すように構成されている。そのため、このようなサンシェード装置には、ウィンドウガラスを覆う位置（使用位置）にシェード部材を保持するための手段が必要となる。
【０００４】
例えば、特許文献１や特許文献２には、シェード部材を使用位置に保持するための係合構造が記載されている。この係合構造では、ウィンドウ上部のドアフレームに設けられた一対の係止フックに、シェード部材の上端に設けられた一対の係止孔を係合させることで、シェード部材は使用位置に保持されるようになっている。
【先行技術文献】
【特許文献】
【０００５】
【特許文献１】特開２００４−３５９０９２号公報
【特許文献２】特開２００６−１９９２３４号公報
【発明の概要】
【発明が解決しようとする課題】
【０００６】
しかしながら、上述のような係合構造では、２つの係止フックをシェード部材上端の２つの係止孔にそれぞれ通す必要があるため、外観性を向上させるために係止フックを小さくすると、シェード部材の使用位置への設置が容易に行えなくなる。一方、係止孔に通しやすくするために係止フックを大きくすると、係止フックはドアフレームから突出した状態であるため、シェード部材の未使用時には見栄えが悪くなってしまう。
【０００７】
そこで本発明は、外観性を維持しながら、シェード部材を使用位置に容易に設置可能なサンシェード装置を提供することを目的とする。
【課題を解決するための手段】
【０００８】
上述した目的を達成するために、ドア本体と、ドア本体の車両上方に設けられ、ドア本体と共にウィンドウ開口部を形成するドアフレームと、を有する車両用ドアに設置される、本発明のサンシェード装置は、ドア本体に設けられ、車両上方に引き出し可能なスクリーン状のシェード部材と、シェード部材の上端に沿って設けられ、車両前後方向に延びる支持部材であって、この上端の車両前方側端部から車両前方に突出する前端部と、この上端の車両後方側端部から車両後方に突出する後端部と、を有する支持部材と、シェード部材が引き出された際に支持部材の前端部および後端部にそれぞれ対向する位置でドアフレームに取り付けられ、前端部および後端部とそれぞれ係合して、シェード部材をウィンドウ開口部を覆う位置に保持する一対の係合部と、を有している。
【０００９】
このようなサンシェード装置では、シェード部材の上端に設けられた支持部材の前端部および後端部を、シェード部材を使用位置に保持するための係合構造の一部として利用することで、比較的簡単な操作で係合可能な係合構造を構成することができる。さらには、支持部材を把持してシェード部材を引き上げた際に、支持部材の前端部および後端部と各係合部とが互いに対向するように配置されていることで、それらの係合動作が非常に容易になる。また、各係合部は、ドアフレームの車両前方側および車両後方側の上端部にそれぞれ配置されることになるため、外観性を損なうこともない。
【発明の効果】
【００１０】
以上、本発明によれば、外観性を維持しながら、シェード部材を使用位置に容易に設置可能なサンシェード装置を提供することができる。
【図面の簡単な説明】
【００１１】
【図１】本発明の一実施形態におけるサンシェード装置を概略的に示す平面図である。
【図２】図１のサンシェード装置の第１の係合部付近を拡大して示す概略平面図である
【図３】図２のＡ−Ａ線に沿った概略断面図である。
【図４】本発明の一実施形態におけるサンシェード装置の第１の係合部を示す斜視図である。
【発明を実施するための形態】
【００１２】
以下、図面を参照して、本発明の実施の形態について説明する。
【００１３】
図１は、本発明の一実施形態におけるサンシェード装置を概略的に示す平面図であり、シェード部材が使用位置に設置された状態のサンシェード装置を車内側から示している。
【００１４】
本実施形態のサンシェード装置１は、車両のリアドア２に設置されている。リアドア２は、ドア本体１０と、ドア本体１０の車両上方に設けられ、ドア本体１０と共にウィンドウ開口部３を形成するドアフレーム１１と、を有している。ドアフレーム１１は、車両前後方向に延びる横枠部１２と、車両前方側でドア本体１０から車両上方に延びる縦枠部１３と、車両後方側でドア本体１０から車両上方かつ車両前方に延びる傾斜枠部１４とから構成されている。縦枠部１３が横枠部１２の車両前方側の端部に接続して、前方上部コーナー部１５ａが形成され、傾斜枠部１４が横枠部の車両後方側の端部に接続して、後方上部コーナー部１５ｂが形成されている。
【００１５】
サンシェード装置１は、ドア本体１０の車内側上端に設けられ、車両上方に引き出し可能なスクリーン状のシェード部材１６を有している。シェード部材１６は、不使用時には、ドア本体１０の上端内部に設置された巻取装置（図示せず）に巻き取られて収納されており、使用時に、ウィンドウガラス４の内面に沿って引き出されて、ウィンドウ開口部３を覆うようになっている。
【００１６】
シェード部材１６の上端に沿って、車両前後方向に延びる支持部材１７が設けられている。支持部材１７は、車両前後方向の長さがシェード部材１６上端よりも長くなっている。すなわち、支持部材１７の前端部１７ａおよび後端部１７ｂは、シェード部材１６上端の車両前方側端部および車両後方側端部からそれぞれ車両前後方向に突出するように設けられている。なお、本実施形態では、支持部材１７の前端部１７ａおよび後端部１７ｂは、車両前方および車両後方にそれぞれ延びる円柱状に形成されている。
【００１７】
サンシェード装置１は、これらの前端部１７ａおよび後端部１７ｂとそれぞれ係合して、引き出されたシェード部材１６をウィンドウ開口部３を覆う位置に保持する一対の係合部２０，３０を備えている。各係合部２０，３０は、ドアフレーム１１の内周側に取り付けられおり、支持部材１７の前端部１７ａと係合する第１の係合部２０が、前方上部コーナー部１５ａに配置され、支持部材１７の後端部１７ｂと係合する第２の係合部３０が、後方上部コーナー部１５ｂに配置されている。すなわち、各係合部２０，３０は、シェード部材１６が引き出された際に支持部材１８の前端部１７ａおよび後端部１７ｂにそれぞれ対向する位置に配置されている。
【００１８】
このような構成によって、本実施形態では、シェード部材１６の上端に設けられた支持部材１７の両端部１７ａ，１７ｂを、シェード部材１６を使用位置に保持するための係合構造の一部として利用することができる。それにより、比較的簡単な操作で係合可能な係合構造を構成することが可能となる。さらに、これらの両端部１７ａ，１７ｂと各係合部２０，３０とが、支持部材１７を把持してシェード部材１６を引き上げた際に互いに対向するように配置されていることで、それらの係合動作は非常に容易なものとなる。このようにして、本実施形態のサンシェード装置１では、シェード部材１６の使用位置への設置を容易に行うことができる。加えて、各係合部２０，３０は、ドアフレーム１１の車両前方側および車両後方側の上端部、すなわち前方上部コーナー部１５ａおよび後方上部コーナー部１５ｂにそれぞれ配置されている。そのため、シェード部材１６の使用位置への設置の容易性を確保しながら、リアドア２の外観性を維持することも可能となる。
【００１９】
次に、図２から図４を参照して、本実施形態の係合部の具体的な構成について、支持部材１７の前端部１７ａと係合する第１の係合部２０を例に挙げて説明する。なお、以下で説明は省略するが、支持部材１７の後端部１７ｂと係合する第２の係合部３０も、第１の係合部と実質的に同一の構成を有している。
【００２０】
図２は、図１に示すサンシェード装置１の第１の係合部２０付近を車内側から拡大して示す概略平面図である。図３は、図２のＡ−Ａ線に沿った概略断面図であり、車両前後方向に垂直な断面を示している。図４は、本実施形態の第１の係合部２０を示す斜視図である。
【００２１】
第１の係合部２０には、支持部材１７の前端部１７ａを収容する収容空間２１が設けられており、収容空間２１は、収容空間２１に対して車内側の斜め上方からアクセスできるように、車内側および車両上方側に開口する係合開口部２２を有している。これにより、本実施形態では、係合開口部２２を通じて前端部１７ａを収容空間２１に単に収容するだけで、支持部材１７の前端部１７ａを第１の係合部２０と係合させることが可能となる。そのため、上述の係止孔と係止フックの場合のように、細かな位置合わせの必要がなく、また、支持部材の両端部１７ａ，１７ｂを同時に係合させる必要もなくなるため、シェード部材１６設置の容易性を向上させることができる。また、係合開口部２２が車内側の斜め上方に開口していることで、前端部１７ａの収容空間２１への挿入角度は、車両の乗員にとって最適な角度になる。このことも、支持部材１７の前端部１７ａと係合部２０との係合を容易に行うための利点となる。
【００２２】
さらに、収容空間２１は、図３および図４に示すように、円柱状に形成された支持部材１７の前端部１７ａの断面形状に適合するように、車両前後方向に垂直な断面が円弧状に形成されている。これにより、収容空間２１は、支持部材１７の前端部１７ａを回転可能に収容することが可能となる。すなわち、支持部材１７の前端部１７ａは収容空間２１内で回転可能であるため、支持部材１７の前端部１７ａを収容空間２１に挿入する際には、挿入姿勢は規定されず、任意の姿勢で挿入することが可能となる。そのため、支持部材１７の前端部１７ａと第１の係合部２０との係合動作はより一層容易なものとなる。また、このような構成により、支持部材１７に取っ手やハンドルなどの把持手段を設置する必要がある場合でも、シェード部材１６が使用位置の状態で車両上方側となる位置に把持手段を設置しておくことで、見栄えが悪くなることもない。
【００２３】
なお、本実施形態では、各係合部２０，３０は、ドアフレーム１１に直接取り付けられているが、これに限定されず、ウィンドウ開口部３の開口縁に沿ってドアフレーム１１の車内側に取り付けられた内周部材に一体的に形成されていてもよい。また、そのような内周部材に取り付けられるようになっていてもよい。
【符号の説明】
【００２４】
１  サンシェード装置
２  リアドア
３  ウィンドウ開口部
１０  ドア本体
１１  ドアフレーム
１２  横枠部
１３  縦枠部
１４  傾斜枠部
１５ａ  前方上部コーナー部
１５ｂ  後方上部コーナー部
１６  シェード部材
１７  支持部材
１７ａ  前端部
１７ｂ  後端部
２０，３０  係合部
２１  収容空間
２２  開口係合部
【図１】
2012148597.tif 000003
【図２】
2012148597.tif 000004
【図３】
2012148597.tif 000005
【図４】
2012148597.tif 000006